(57)【要約】【課題】エレベータの操作釦の異常を速やかに検出することが可能な、エレベータの操作釦の異常検出装置を提供する。【解決手段】実施形態によればエレベータの操作釦の異常検出装置は、異常検出部を備える。異常検出部は、エレベータの乗りかご内の操作盤に設置された釦から操作情報が出力されたときに、乗りかご内に人が乗っていないと判定すると、当該釦の異常検出情報を生成する。また、他の形態の異常検出部は、エレベータの乗りかごが乗場呼び登録階に着床して戸開した後、戸閉するまでの間に、乗りかごに人が乗り込まなかったと判定した回数が所定値を超えると、当該乗場呼び釦の異常検出情報を生成する。【選択図】図２
2019085247.tif 000002
【特許請求の範囲】
【請求項１】
エレベータの乗りかご内の操作盤に設置された釦から操作情報が出力されたときに、前記乗りかご内に人が乗っていないと判定すると、当該釦の異常検出情報を生成する異常検出部
を備えることを特徴とするエレベータの操作釦の異常検出装置。
【請求項２】
エレベータの乗場に設置された乗場呼び釦から操作情報が出力されたことにより、前記エレベータの乗りかごが該当する乗場呼び登録階に着床して戸開した後、戸閉するまでの間に前記乗りかごに人が乗り込まなかったと判定した回数を計数し、計数した回数が所定値を超えると、当該乗場呼び釦の異常検出情報を生成する異常検出部
を備えることを特徴とするエレベータの操作釦の異常検出装置。
【請求項３】
利用者により前記乗場呼び釦が操作された際の操作パターン情報を記録する正常操作パターン情報記録部をさらに備え、
前記異常検出部は、前記異常検出情報を生成したときの該当する乗場呼び操作の操作パターンを特定し、前記正常操作パターン情報記録部に、前記特定した乗場呼び操作の操作パターンと同じ操作パターンの情報があるときには、該当する異常検出情報を削除する
ことを特徴とする請求項２に記載のエレベータの操作釦の異常検出装置。
【請求項４】
前記異常検出部は、生成した異常検出情報の数が所定値を超えた乗場呼び釦の異常に関する情報を、外部の発報装置に送信する
ことを特徴とする請求項２または３に記載のエレベータの操作釦の異常検出装置。
【請求項５】
エレベータの乗場に設置された乗場呼び釦から操作情報が出力されたことにより、前記エレベータの乗りかごが移動を開始してから該当する乗場呼び登録階に到着するまでの間に、前記乗場呼び釦から所定値を超える回数の操作情報が出力されたと判定すると、当該釦の異常検出情報を生成する異常検出部
を備えることを特徴とするエレベータの操作釦の異常検出装置。
【発明の詳細な説明】
【技術分野】
【０００１】
本発明の実施形態は、エレベータの操作釦の異常検出装置に関する。
【背景技術】
【０００２】
従来、エレベータの制御装置では、乗りかごの走行状態やブレーキの動作状態、各種センサ等に基づいてエレベータ内に各機器が正常に動作しているか否かを監視し、異常が発生すると報知情報を出力する。保守員は、エレベータ制御装置から出力される報知情報に基づいて、エレベータ内の機器の異常を把握することができる。
【先行技術文献】
【特許文献】
【０００３】
【特許文献１】特開２０１３−２３３２５号公報
【発明の概要】
【発明が解決しようとする課題】
【０００４】
しかし、乗場に設置された乗場呼び釦や乗りかご内に設置された行先階登録釦においては、機械的な接触不良状態や、押し込まれによる短絡状態が生じても、出力される釦操作信号には異常がないため、エレベータ制御装置側で釦の異常を検出することができない。
【０００５】
本発明は上記事情に鑑みてなされたものであり、エレベータの操作釦の異常を速やかに検出することが可能な、エレベータの操作釦の異常検出装置の提供を目的とする。
【課題を解決するための手段】
【０００６】
上記目的を達成するための実施形態によればエレベータの操作釦の異常検出装置は、異常検出部を備える。異常検出部は、エレベータの乗りかご内の操作盤に設置された釦から操作情報が出力されたときに、乗りかご内に人が乗っていないと判定すると、当該釦の異常検出情報を生成する。また、他の形態の異常検出部は、エレベータの乗りかごが乗場呼び登録階に着床して戸開した後、戸閉するまでの間に、乗りかごに人が乗り込まなかったと判定した回数が所定値を超えると、当該乗場呼び釦の異常検出情報を生成する。
【図面の簡単な説明】
【０００７】
【図１】第１〜第５実施形態による異常検出装置を用いたエレベータの構成を示す全体図。
【図２】第１〜第３実施形態による異常検出装置を用いたエレベータ制御装置の構成を示すブロック図。
【図３】第１実施形態による異常検出装置の動作を示すフローチャート。
【図４】第２実施形態による異常検出装置の動作を示すフローチャート。
【図５】第３実施形態による異常検出装置の動作を示すフローチャート。
【図６】第４実施形態による異常検出装置を用いたエレベータ制御装置の構成を示すブロック図。
【図７】第４実施形態による異常検出装置の動作を示すフローチャート。
【図８】第５実施形態による異常検出装置を用いたエレベータ制御装置の構成を示すブロック図。
【図９】第５実施形態による異常検出装置の動作を示すフローチャート。
【発明を実施するための形態】
【０００８】
《第１実施形態》
〈第１実施形態による異常検出装置を用いたエレベータの構成〉
本発明の第１実施形態による異常検出装置を用いたエレベータの構成について、図１を参照して説明する。本実施形態によるエレベータ１Ａは、建物内の昇降路内を昇降する乗りかご１０と、当該建物のエレベータ乗場２０に設置された乗場操作盤２１と、乗りかご１０および乗場操作盤２１に接続されて昇降路上部に設置されたエレベータ制御装置３０Ａとを備える。
【０００９】
乗りかご１０には、かご内操作盤１１と、荷重検知器１２とが設置されている。かご内操作盤１１内は、利用者が行先階を登録操作するための行先階登録釦１１１ａ〜１１１ｃと、戸開釦１１２と、戸閉釦１１３とを有する。荷重検知器１２は、乗りかご１０にかかる荷重量を検知する。荷重検知器１２は、ロープヒッチ荷重検知器、かご床荷重検知器等いずれのタイプのものでもよい。
【００１０】
乗場操作盤２１は、利用者が行先方向を指定して乗りかご１０を当該階床に呼び寄せるための乗場呼び釦２１ａ、２１ｂを有する。
【００１１】
エレベータ制御装置３０Ａは、図２に示すように、計時部３１と、入出力部３２と、入力情報記録部３３と、運転制御部３４と、運転情報記録部３５と、異常検出装置としての異常検出部３６Ａと、異常検出情報記録部３７とを有する。計時部３１は、エレベータ制御装置３０Ａの内部時計であり、現在時刻情報を取得する。入出力部３２は、かご内操作盤１１内の釦から出力された操作情報、荷重検知器１２による乗りかご１０の荷重量の検知情報、乗場操作盤２１内の釦から出力された操作情報を入力するとともに、これらの機器に対する制御情報を出力する。入力情報記録部３３は、入出力部３２から入力された情報を記録する。運転制御部３４は、入出力部３２から入力された情報に基づいて、巻上げ機（図示せず）を含むエレベータ１Ａ内の機器の動作を制御する。運転情報記録部３５は、運転制御部３４によるエレベータ１Ａの運転情報を記録する。異常検出部３６Ａは、かご内操作盤１１内の行先階登録釦１１１ａ〜１１１ｃ、戸開釦１１２、または戸閉釦１１３から出力された操作情報が記録されたときに、乗りかご１０内に人が乗っていないと判定すると、当該釦の異常検出情報を生成する。異常検出情報記録部３７は、異常検出部３６Ａで生成された異常検出情報を記録する。
【００１２】
〈第１実施形態による異常検出装置を用いたエレベータの動作〉
次に、本実施形態によるエレベータ１Ａの動作について説明する。エレベータ１Ａの運転中は、かご内操作盤１１内の行先階登録釦１１１ａ〜１１１ｃ、戸開釦１１２、および戸閉釦１１３から出力された操作情報と、荷重検知器１２による乗りかご１０の荷重量の検知情報と、乗場操作盤２１内の乗場呼び釦２１ａ、２１ｂから出力された操作情報とがエレベータ制御装置３０Ａの入出力部３２から入力される。入力された情報は、計時部３１で計時された現在時刻情報とともに、入力情報記録部３３に記録される。
【００１３】
また、行先階登録釦１１１ａ〜１１１ｃの操作情報に基づいて登録されたかご呼びや、乗場呼び釦２１ａ、２１ｂの操作情報に基づいて登録された乗場呼びに応答するように、運転制御部３４により巻上げ機を含むエレベータ１Ａ内の機器の動作が制御され、乗りかご１０の昇降や戸開閉等の運転が行われる。これらの運転制御部３４によるエレベータ１Ａの運転の情報、例えば乗りかご１０の位置情報や戸開閉情報等は、計時部３１で計時された現在時刻情報とともに、運転情報記録部３５に記録される。
【００１４】
このように、エレベータ１Ａの通常運転中に入力情報および運転情報が順次記録されている状態で、エレベータ制御装置３０Ａの異常検出部３６Ａにより実行される、かご内操作盤１１内の釦の異常判定処理について、図３のフローチャートを参照して説明する。
【００１５】
通常運転中（Ｓ１）、入力情報記録部３３にかご内操作盤１１内の釦の操作情報が記録されると（Ｓ２の「YES」）、異常検出部３６Ａは荷重検知器１２で検知された乗りかご１０の荷重量に基づいて、乗りかご１０内に人が乗っているか否かを判定する（Ｓ３）。ここで、乗りかご１０内に人が乗っていると判定したときには（Ｓ３の「YES」）、当該行先階登録釦１１１ａ〜１１１ｃ、戸開釦１１２、または戸閉釦１１３から出力された操作情報は、乗りかご１０内にいる人により操作されたものであると判定し、ステップＳ１に戻る。
【００１６】
ステップＳ３において、乗りかご１０内に人が乗っていないと判定したときには（Ｓ３の「NO」）、乗りかご１０の中は無人であるにも関わらずかご内操作盤１１内の釦の操作情報が出力されており、該当する釦において機械的異常や接触故障等の異常が発生していると判定する。この場合、該当する釦の異常検出情報を生成し、異常検出情報記録部３７に記録する。このとき、この異常判定の前後の所定期間の該当釦の操作情報を入力情報記録部３３から取得するとともに、運転情報を運転情報記録部３５から取得し、当該異常検出情報に紐づけて異常検出情報記録部３７に記録する（Ｓ４）。記録した異常検出情報は、表示情報や音声情報でエレベータ制御装置３０Ａから出力され、保守員に報知される。
【００１７】
以上の第１実施形態によれば、かご内操作盤１１内の釦において、押し込まれによる機械的異常や接続異常が発生し、釦の操作情報が出力され続けているときに、当該釦の異常を自動で検出し、保守員に異常発生を報知することができる。保守員は、異常検出情報を把握することにより、当該異常に関し速やかに点検、修理等の対応をとることができる。また、当該異常発生の前後の該当釦の操作情報や運転情報も記録されるため、保守員が異常検出情報を把握する際に、どのようなタイミングで生じた異常であるかを確認することができる。
【００１８】
《第２実施形態》
〈第２実施形態による異常検出装置を用いたエレベータの構成〉
本発明の第２実施形態による異常検出装置を用いたエレベータ１Ｂの構成は、第１実施形態で説明したエレベータ１Ａの構成と同様であるため、同一機能を有する部分の詳細な説明は省略する。
【００１９】
本実施形態においてエレベータ制御装置３０Ｂの異常検出部３６Ｂは、乗場呼び釦２１ａ、２１ｂから出力された操作情報に応答して乗りかご１０が該当する乗場呼び登録階に着床して戸開した後、戸閉するまでの間に、乗りかご１０に人が乗り込まなかったと判定した回数を計数し、計数した回数が所定値を超えると、当該乗場呼び釦２１ａ、２１ｂの異常検出情報を生成する。
【００２０】
〈第２実施形態による異常検出装置を用いたエレベータの動作〉
次に、本実施形態によるエレベータ１Ｂの動作について説明する。エレベータ１Ｂの通常運転中に入力情報および運転情報が順次記録されている状態で、エレベータ制御装置３０Ｂの異常検出部３６Ｂにより実行される乗場呼び釦２１ａ、２１ｂの異常判定処理について、図４のフローチャートを参照して説明する。
【００２１】
通常運転中（Ｓ１１）、乗場操作盤２１内の上方向の乗場呼び釦２１ａまたは下方向の乗場呼び釦２１ｂから操作情報が出力されると、入出力部３２を介して入力情報記録部３３に記録される。入力情報記録部３３に乗場操作盤２１内の乗場呼び釦２１ａ、２１ｂの操作情報が記録されると（Ｓ１２の「YES」）、エレベータ制御装置３０Ｂ内で該当する乗場呼びが登録され、これに応答して乗りかご１０が乗場呼び登録階に着床され戸開される。乗りかご１０の昇降および戸開閉等の運転情報は、運転情報記録部３５に記録される。
【００２２】
異常検出部３６Ｂは、乗場呼び登録階で乗りかご１０が戸開してから戸閉するまでの間に、荷重検知器１２で検知された乗りかご１０の荷重量に基づいて、乗りかご１０の中に人が乗り込んだか否かを判定する（Ｓ１３）。ここで、戸開から戸閉までの間に乗りかご１０の中に人が乗り込んだと判定したときには（Ｓ１３の「YES」）、当該乗場呼び釦２１ａ、２１ｂから出力された操作情報は、乗場の利用者により操作されたものであると判定し、ステップＳ１１に戻る。
【００２３】
ステップＳ１３において、乗場呼び登録階で乗りかご１０が戸開してから戸閉するまでの間に乗りかご１０の中に人が乗り込まなかったと判定したとき（Ｓ１３の「NO」）には、当該乗場２０に人がいないにも関わらず乗場操作盤２１内の乗場呼び釦の操作情報が出力され、該当する釦において機械的異常や接点故障等の異常が発生している可能性があると判定する。異常検出部３６Ｂ内では、乗場呼び釦ごとに、異常の可能性があると判定された回数を異常判定値として保持している。そして、上述したようにいずれかの乗場呼び釦で異常が発生した可能性があると判定すると、当該乗場呼び釦の異常判定値を「1」増加させる（Ｓ１４）。
【００２４】
異常判定値を増加させたことにより、当該乗場呼び釦の異常判定値が所定の閾値を超えたと判定すると（Ｓ１５の「YES」）、該当する釦の異常検出情報を生成し、異常検出情報記録部３７に記録する。このとき、この異常判定の前後の所定期間の該当釦の操作情報を入力情報記録部３３から取得するとともに、運転情報を運転情報記録部３５から取得し、当該異常検出情報に紐づけて異常検出情報記録部３７に記録する（Ｓ１６）。ステップＳ１５において、異常判定値が所定の閾値を超えていないと判定されたとき（Ｓ１５の「NO」）には、ステップＳ１１に戻り、通常運転が行われる。
【００２５】
以上の第２実施形態によれば、乗場操作盤２１内の乗場呼び釦において、押し込まれによる機械的異常や接続異常が発生し、釦の操作情報が出力され続けているときに、当該釦の異常を自動で検出し、保守員に異常発生を報知することができる。
【００２６】
この異常検出の処理を行う際、利用者が乗場呼びを操作したことにより当該乗場呼び操作階で乗りかご１０が戸開しても、当該利用者のエレベータ利用意思がなくなり乗り込まない場合も考えられる。このような場合に対応するため、上述したように異常検出部３６Ｂに予め異常判定値の閾値を設定しておき、連続した操作情報の出力により異常判定値が閾値を超えたときにのみ該当する釦の異常検出情報を記録することで、乗場呼び釦の機械的異常や接続異常を精度よく検出することができる。
【００２７】
《第３実施形態》
〈第３実施形態による異常検出装置を用いたエレベータの構成〉
本発明の第３実施形態による異常検出装置を用いたエレベータ１Ｃの構成は、第１実施形態で説明したエレベータ１Ａの構成と同様であるため、同一機能を有する部分の詳細な説明は省略する。
【００２８】
本実施形態においてエレベータ制御装置３０Ｃの異常検出部３６Ｃは、乗場呼び釦２１ａ、２１ｂから出力された操作情報に応答して乗りかご１０が移動を開始してから乗場呼び登録階に着床するまでの間に、当該乗場呼び釦２１ａ、２１ｂから所定値を超える回数の操作情報が出力されたと判定すると、当該乗場呼び釦２１ａ、２１ｂの異常検出情報を生成する。
【００２９】
〈第３実施形態による異常検出装置を用いたエレベータの動作〉
次に、本実施形態によるエレベータ１Ｃの動作について説明する。エレベータ１Ｃの通常運転中に入力情報および運転情報が順次記録されている状態で、エレベータ制御装置３０Ｃの異常検出部３６Ｃにより実行される、乗場操作盤２１内の乗場呼び釦２１ａ、２１ｂの異常判定処理について、図５のフローチャートを参照して説明する。
【００３０】
通常運転中（Ｓ２１）、乗場操作盤２１内の上方向の乗場呼び釦２１ａまたは下方向の乗場呼び釦２１ｂから操作情報が出力されると、入出力部３２を介して入力情報記録部３３に記録される。入力情報記録部３３に乗場操作盤２１内の乗場呼び釦２１ａ、２１ｂの操作情報が記録されると（Ｓ２２の「YES」）、エレベータ制御装置３０Ｃ内で該当する乗場呼びが登録され、乗場呼び登録階への乗りかご１０の移動が開始される。また、乗場呼びが登録されると、運転制御部３４から入出力部３２を介して乗場操作盤２１に対し、操作された釦の点灯指示が送信される。乗りかご１０の昇降、釦の点灯等の情報は、運転情報記録部３５に記録される。
【００３１】
乗りかご１０の移動が開始されてから乗場呼び登録階に到着するまでの間、応答中の乗場呼びの登録時に操作された釦と同一の乗場呼び釦が再度操作されたか否かが監視される（Ｓ２３）。ここで、当該期間内に該当する乗場呼び釦が操作されたと判定すると（Ｓ２３の「YES」）、当該乗場呼び釦の光源が点灯していないために、乗場呼び応答中であるにも関わらず他の利用者も当該乗場呼び釦を操作した可能性があると判定して、当該乗場呼び釦の異常判定値を「1」増加させる（Ｓ２４）。
【００３２】
異常判定値を増加させたことにより、当該乗場呼び釦の異常判定値が所定の閾値を超えたと判定すると（Ｓ２５の「YES」）、当該乗場呼び釦の異常検出情報を生成し、異常検出情報記録部３７に記録する。このとき、この異常判定の前後の所定期間の当該乗場呼び釦の操作情報を入力情報記録部３３から取得するとともに、運転情報を運転情報記録部３５から取得し、当該異常検出情報に紐づけて異常検出情報記録部３７に記録する（Ｓ２６）。ステップＳ２５において、異常判定値が所定の閾値を超えていないと判定されたとき（Ｓ２５の「NO」）には、ステップＳ２１に戻り、通常運転が行われる。
【００３３】
以上の第３実施形態によれば、乗場操作盤２１内の乗場呼び釦において、光源に異常が発生して点灯していないときに、当該釦の異常を自動で検出し、保守員に異常発生を報知することができる。
【００３４】
この異常検出処理を行う際、乗場呼び操作が行われた釦が正常に点灯している場合であっても、利用者が再度操作する場合も考えられる。このような場合に対応するため、上述したように異常検出部３６Ｃに予め異常判定値の閾値を設定したおき、異常判定値が閾値を超えたときにのみ該当する釦の異常検出情報を記録することで、乗場呼び釦の点灯異常を精度よく検出することができる。
【００３５】
《第４実施形態》
〈第４実施形態による異常検出装置を用いたエレベータの構成〉
本発明の第４実施形態による異常検出装置を用いたエレベータ１Ｄの構成は、エレベータ制御装置３０Ｄ内に、正常操作パターン情報記録部３８を有する他は、第１実施形態で説明したエレベータ１Ａの構成と同様であるため、同一機能を有する部分の詳細な説明は省略する。
【００３６】
正常操作パターン情報記録部３８は、通常運転時に、乗場２０の利用者により操作された回数が所定値を超えた、乗場呼び釦２１ａ、２１ｂの操作パターンを、正常操作パターンとして記録する。異常検出部３６Ｄは、乗場呼び釦２１ａ、２１ｂから出力された操作情報に応答して乗りかご１０が該当する乗場呼び登録階に着床して戸開した後、戸閉するまでの間に、乗りかご１０に人が乗り込まなかったと判定した回数が所定値を超えると、当該乗場呼び釦２１ａ、２１ｂの仮異常検出情報を生成する。そして、正常操作パターン情報記録部３８の中に、仮異常検出情報を生成したときの乗場呼び操作の操作パターンと同じ情報があるときには、当該仮異常検出情報を削除する。また、正常操作パターン情報記録部３８の中に、仮異常検出情報を生成したときの乗場呼び操作の操作パターンと同じ情報が記録されていないときには、当該仮異常検出情報を異常検出情報として確定させて記録する。
【００３７】
〈第４実施形態による異常検出装置を用いたエレベータの動作〉
次に、本実施形態によるエレベータ１Ｄの動作について説明する。エレベータ１Ｄの通常運転中に入力情報および運転情報が順次記録されている状態で、エレベータ制御装置３０Ｄの異常検出部３６Ｄにより実行される、乗場操作盤２１内の乗場呼び釦２１ａ、２１ｂの異常判定処理について、図７のフローチャートを参照して説明する。
【００３８】
通常運転中（Ｓ３１）、登録された乗場呼びに応答して乗りかご１０が乗場呼び登録階で戸開してから戸閉するまでの間に乗りかご１０に人が乗り込んだと判定したとき（Ｓ３２の「YES」、Ｓ３３の「YES」）、つまり、乗場２０にいる人により正常に乗場呼び釦２１ａ、２１ｂが操作されたと判定したときには、異常検出部３６Ｄは、当該乗場呼び操作の際の操作情報を解析して、操作パターンを特定する。この操作パターンは、例えば、「１秒間以内の３回の押下」のように、所定の期間内における操作回数により特定される。異常検出部３６Ｄ内では、操作パターンごとに、利用者による乗場呼びの操作パターンとして特定された回数を計数している。そして、上述したように利用者による乗場呼びの操作パターンとして特定すると、当該操作パターンの計数値を「1」増加させる（Ｓ３４）。この計数値が予め設定された閾値を超えたと判定すると（Ｓ３５の「YES」）、当該操作パターンを正常操作パターンとして、正常操作パターン情報記録部３８に記録する（Ｓ３６）。
【００３９】
一方、登録された乗場呼びに応答して乗りかご１０が乗場呼び登録階で戸開してから戸閉するまでの間に乗りかご１０に人が乗り込まなかったと判定したとき（Ｓ３３の「NO」）には、該当する釦において機械的異常や接点故障等の異常が発生している可能性があると判定し、当該乗場呼び釦の異常判定値を「1」増加させる。このとき、該当する乗場呼び釦２１ａまたは２１ｂの操作情報を解析して操作パターンを特定し、保存する（Ｓ３７）。
【００４０】
異常判定値を増加させたことにより、当該乗場呼び釦の異常判定値が所定の閾値を超えたと判定すると（Ｓ３８の「YES」）、該当する釦の仮異常検出情報を生成し、異常検出情報記録部３７に記録する。このとき、この異常判定の前後の所定時間の該当釦の操作情報を入力情報記録部３３から取得するとともに、運転情報を運転情報記録部３５から取得し、ステップＳ３７で保存した操作パターンとともに当該仮異常検出情報に紐づけて異常検出情報記録部３７に記録する（Ｓ３９）。
【００４１】
そして、正常操作パターン情報記録部３８の中に、異常検出情報記録部３７に記録した仮異常検出情報の操作パターンと同じ正常操作パターンが記録されていると判定すると（Ｓ４０の「YES」）、当該釦の操作情報は異常によるものではなく利用者の操作により出力されたものと判断し、該当する仮異常検出情報を削除する（Ｓ４１）。また、正常操作パターン情報記録部３８の中に、異常検出情報記録部３７に記録した仮異常検出情報の操作パターンと同じ正常操作パターンが記録されていないと判定すると（Ｓ４０の「NO」）、当該仮異常検出情報を異常検出情報として確定させて記録する（Ｓ４２）。
【００４２】
以上の第４実施形態によれば、乗場呼び釦の操作情報が複数回連続して出力されている場合であっても、当該釦操作のパターンが、当該建物の利用者の日常的な釦操作パターンであるときには、当該乗場呼び釦に異常が発生したと判定しないようにすることで、さらに高い精度で釦の異常を検出することができる。
【００４３】
《第５実施形態》
〈第５実施形態による異常検出装置を用いたエレベータの構成〉
本発明の第５実施形態による異常検出装置を用いたエレベータ１Ｅの構成は、エレベータ制御装置３０Ｅに接続された発報装置４０を備える他は、第４実施形態で説明したエレベータ１Ｄの構成と同様であるため、同一機能を有する部分の詳細な説明は省略する。
【００４４】
本実施形態において、エレベータ制御装置３０Ｅの異常検出部３６Ｅは、異常検出情報記録部３７に記録した異常検出情報の数が所定値を超えた乗場呼び釦の異常に関する情報を、外部の発報装置４０に送信する。
【００４５】
〈第５実施形態による異常検出装置を用いたエレベータの動作〉
次に、本実施形態によるエレベータ１Ｅの動作について、図９を参照して説明する。図９において、ステップＳ３１〜Ｓ４１で実行される処理は、第４実施形態で説明した処理と同様であるため、詳細な説明は省略する。
【００４６】
これらの処理が実行されているときに、異常検出情報記録部３７に記録された中に、異常検出情報の数が所定値を超えた乗場呼び釦の情報があるときには（Ｓ４３の「YES」）、該当する乗場呼び釦の異常に関する情報を、外部の発報装置４０に送信する（Ｓ４４）。発報装置４０では、エレベータ制御装置３０Ｅから送信された情報に基づいて、当該乗場呼び釦で異常が発生している可能性が高いことを示す情報を、表示情報やアラーム音等で保守員に報知する。操作釦において機械的異常や接触故障等の異常が発生した際には短期間で複数の異常検出情報が生成される可能性が高いため、異常検出情報記録部３７に記録する情報は月毎や週毎でリセットするようにしてもよい。
【００４７】
以上の第５実施形態によれば、仮異常検出情報が複数回記録されており、機械的異常や接触故障等の異常が発生している可能性が高い乗場呼び釦に関しては外部の発報装置から報知情報を出力させるようにすることで、迅速かつ確実に保守の対象とすることができる。
【００４８】
上述した第１〜第５実施形態においては、乗りかご１０に人が乗り込んだか否かを、荷重検知器１２で検知された乗りかご１０の荷重量に基づいて判定する場合について説明したが、これには限定されず、カメラ装置で乗りかご１０内を撮影した撮像情報や人感センサによる検知情報を用いることにより、乗りかご１０内の人の有無を判定するようにしてもよい。
【００４９】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５０】
１Ａ，１Ｂ，１Ｃ，１Ｄ，１Ｅ…エレベータ、１０…乗りかご、１１…かご内操作盤、１２…荷重検知器、２０…乗場、２１…乗場操作盤、２１ａ，２１ｂ…乗場呼び釦、３０Ａ，３０Ｂ，３０Ｃ，３０Ｄ，３０Ｅ…エレベータ制御装置、３１…計時部、３２…入出力部、３３…入力情報記録部、３４…運転制御部、３５…運転情報記録部、３６Ａ，３６Ｂ，３６Ｃ，３６Ｄ，３６Ｅ…異常検出部、３７…異常検出情報記録部、３８…正常操作パターン情報記録部、４０…発報装置、１１１ａ，１１１ｂ，１１１ｃ…行先階登録釦、１１２…戸開釦、１１３…戸閉釦
【図１】
2019085247.tif 000003
【図２】
2019085247.tif 000004
【図３】
2019085247.tif 000005
【図４】
2019085247.tif 000006
【図５】
2019085247.tif 000007
【図６】
2019085247.tif 000008
【図７】
2019085247.tif 000009
【図８】
2019085247.tif 000010
【図９】
2019085247.tif 000011
【手続補正書】
【提出日】平成30年12月26日(2018.12.26)
【手続補正１】
【補正対象書類名】特許請求の範囲
【補正対象項目名】請求項１
【補正方法】変更
【補正の内容】
【請求項１】
エレベータの乗りかご内の操作盤に設置された釦から操作情報が出力されたときに、前記乗りかご内に人が乗っていないと判定すると、当該釦の異常検出情報を生成するとともに、異常判定の前後の所定期間の該当釦の操作情報および当該エレベータの運転情報を取得し、前記異常検出情報に紐づけて記録する異常検出部
を備えることを特徴とするエレベータの操作釦の異常検出装置。
【手続補正２】
【補正対象書類名】特許請求の範囲
【補正対象項目名】請求項５
【補正方法】変更
【補正の内容】
【請求項５】
エレベータの乗場呼び釦が操作されたことにより前記エレベータの制御装置において乗場呼びが登録されるとともに該当する乗場呼び釦の点灯が指示された後、該当する乗場呼び登録階へ前記エレベータの乗りかごが移動を開始してから当該乗場呼び登録階に到着するまでの間に、応答中の乗場呼びの登録時に操作された釦と同一の乗場呼び釦が所定値を超える回数操作されたと判定すると、当該釦の異常検出情報を生成する異常検出部
を備えることを特徴とするエレベータの操作釦の異常検出装置。
【手続補正３】
【補正対象書類名】明細書
【補正対象項目名】０００６
【補正方法】変更
【補正の内容】
【０００６】
上記目的を達成するための実施形態によればエレベータの操作釦の異常検出装置は、異常検出部を備える。異常検出部は、エレベータの乗りかご内の操作盤に設置された釦から操作情報が出力されたときに、乗りかご内に人が乗っていないと判定すると、当該釦の異常検出情報を生成するとともに、異常判定の前後の所定期間の該当釦の操作情報および当該エレベータの運転情報を取得し、異常検出情報に紐づけて記録する。また、他の形態の異常検出部は、エレベータの乗りかごが乗場呼び登録階に着床して戸開した後、戸閉するまでの間に、乗りかごに人が乗り込まなかったと判定した回数が所定値を超えると、当該乗場呼び釦の異常検出情報を生成する。